(57)【要約】【課題】  ユニバーサルシリアルバス保護クリップの提供。【解決手段】  二つの挟持片を具え、二つの挟持片の前端に凸縁が設けられ、その外側にロックリングが設けられ、そのうち一つの挟持片の内側にコネクタが設けられ、該コネクタは延長線及びＵＳＢ端子と接続されている。以上の構造により、ＵＳＢプラグが二つの挟持片の間に置かれ、更にロックリングが凸縁に向けて押動されて、二つの挟持片がロックリングにより結束され、並びにコネクタ及び延長線と外部ポートが接続されて、ＵＳＢプラグの脱落が防止されデータ伝送に便利な機能を達成する。【選択図】        図１
0003111468.tif 000002
【実用新案登録請求の範囲】
【請求項１】
上挟持片と下挟持片を具え、該上挟持片と下挟持片の両側に枢設軸、枢設リング及びバネが設けられたユニバーサルシリアルバス保護クリップにおいて、
該上挟持片と下挟持片の前端外側にそれぞれ凸縁が設けられ、該上挟持片及び下挟持片の外側にロックリングが設けられ、該上挟持片の前端内側に二つの傾斜角度を有する凸塊が設けられ、該下挟持片の枢設リングの前方に固定座が設けられ、該固定座内にＵＳＢプラグに対応するコネクタが設けられ、該コネクタの後端に延長線が設けられ、該延長線がＵＳＢ端子に接続されたことを特徴とする、ユニバーサルシリアルバス保護クリップ。
【請求項２】
請求項１記載のユニバーサルシリアルバス保護クリップにおいて、上挟持片及び下挟持片の後段内側に前から後ろに内側に向けて傾斜する斜面が設けられ、別に該斜面の間にボールが設置されたことを特徴とする、ユニバーサルシリアルバス保護クリップ。
【請求項３】
請求項２記載のユニバーサルシリアルバス保護クリップにおいて、ボールが布条に接続されたことを特徴とする、ユニバーサルシリアルバス保護クリップ。
【請求項４】
請求項２記載のユニバーサルシリアルバス保護クリップにおいて、ボールがチェーンに接続されたことを特徴とする、ユニバーサルシリアルバス保護クリップ。
【考案の詳細な説明】
【技術分野】
【０００１】
本考案は一種のユニバーサルシリアルバス保護クリップに係り、特に、ＵＳＢプラグの脱落が防止されデータ伝送に便利な機能を達成するユニバーサルシリアルバス保護クリップに関する。
【背景技術】
【０００２】
ユニバーサルシリアルバス（ＵＳＢ）は各種のＰＣと外部設備の間の接続をサポートする。
【０００３】
図７に示されるように、周知のユニバーサルシリアルバス保護キャップはプラスチック材質のカバーａとされ、その内部に収容空間ｂが形成され、該収容空間ｂがＵＳＢプラグｃと相互に対応し、カバーがＵＳＢプラグと緊密な組合せの効果を達成する。
【０００４】
周知のＵＳＢ保護キャップはただ収容空間がＵＳＢプラグに緊密に組み合わせられるだけであり、何度も抜き差しされた後に接点磨耗により緊密な組合せ効果を失い、ＵＳＢ保護キャップが脱落遺失して保護効果を失うことがある。且つ周知のＵＳＢ保護キャップはデータ伝送の前に取り外され、ＵＳＢプラグがパーソナルコンピュータと接続され、このため製品の使用上の便利性に影響が生じる。
【考案の開示】
【考案が解決しようとする課題】
【０００５】
本考案は上述の周知のＵＳＢ保護キャップの構造の欠点を鑑み、それを改善したユニバーサルシリアルバス保護クリップを提供するものである。
【０００６】
本考案の主要な目的は、ＵＳＢプラグの脱落を防止しデータ伝送に便利なユニバーサルシリアルバス保護クリップを提供することにある。
【課題を解決するための手段】
【０００７】
請求項１の考案は、上挟持片と下挟持片を具え、該上挟持片と下挟持片の両側に枢設軸、枢設リング及びバネが設けられたユニバーサルシリアルバス保護クリップにおいて、
該上挟持片と下挟持片の前端外側にそれぞれ凸縁が設けられ、該上挟持片及び下挟持片の外側にロックリングが設けられ、該上挟持片の前端内側に二つの傾斜角度を有する凸塊が設けられ、該下挟持片の枢設リングの前方に固定座が設けられ、該固定座内にＵＳＢプラグに対応するコネクタが設けられ、該コネクタの後端に延長線が設けられ、該延長線がＵＳＢ端子に接続されたことを特徴とする、ユニバーサルシリアルバス保護クリップとしている。
請求項２の考案は、請求項１記載のユニバーサルシリアルバス保護クリップにおいて、上挟持片及び下挟持片の後段内側に前から後ろに内側に向けて傾斜する斜面が設けられ、別に該斜面の間にボールが設置されたことを特徴とする、ユニバーサルシリアルバス保護クリップとしている。
請求項３の考案は、請求項２記載のユニバーサルシリアルバス保護クリップにおいて、ボールが布条に接続されたことを特徴とする、ユニバーサルシリアルバス保護クリップとしている。
請求項４の考案は、請求項２記載のユニバーサルシリアルバス保護クリップにおいて、ボールがチェーンに接続されたことを特徴とする、ユニバーサルシリアルバス保護クリップとしている。
【考案の効果】
【０００８】
本考案は二つの挟持片を具え、二つの挟持片の前端に凸縁が設けられ、その外側にロックリングが設けられ、そのうち一つの挟持片の内側にコネクタが設けられ、該コネクタは延長線及びＵＳＢ端子と接続されている。
【０００９】
以上の構造により、ＵＳＢプラグが二つの挟持片の間に置かれ、更にロックリングが凸縁に向けて押動されて、二つの挟持片がロックリングにより結束され、並びにコネクタ及び延長線と外部ポートが接続されて、ＵＳＢプラグの脱落が防止されデータ伝送に便利な機能を達成する。
【考案を実施するための最良の形態】
【００１０】
図１、２に示されるように、本考案のユニバーサルシリアルバス保護クリップは、上挟持片１０と下挟持片２０を具え、該上挟持片１０と下挟持片２０の両側にそれぞれ枢設軸１１、枢設リング２１、及びバネ４０が設けられている。本考案の特徴は以下のとおりである。
【００１１】
該上挟持片１０と下挟持片２０の前端外側にそれぞれ凸縁１３、２３が設けられ、該上挟持片１０と該下挟持片２０の外側にロックリング５０が設けられ、該上挟持片１０の前端内側に、二つの傾斜角度を有する凸塊３が設けられ、該下挟持片２０の枢設リング２１の前方に固定座２４が設けられ、該固定座２４内にＵＳＢプラグに対応するコネクタ６が設けられ、該コネクタ６の後端に延長線５１１が設けられ、該延長線５１１はＵＳＢ端子６２に接続されている。
【００１２】
上述の構造により、本考案のユニバーサルシリアルバス保護クリップは、そのうちの凸縁１３、２３によりロックリング５０を阻止し、ロックリング５０が上挟持片１０と下挟持片２０の前端より脱落するのを防止する。
【００１３】
図３、４に示されるように、本考案のユニバーサルシリアルバス保護クリップは、使用上、ロックリング５０が上挟持片１０及び下挟持片２０の中段の枢設軸１１に接近する位置まで移動させられ、更に人指し指と親指で続けて上挟持片１０と下挟持片２０の後段部分が押され、バネ４０が圧縮させられ、並びに枢設軸１１を支点として上挟持片１０と下挟持片２０の前段部分が外向きに張開させられることで、ＵＳＢプラグ８が前方より上挟持片１０と下挟持片２０の内側に挿入可能となり、且つコネクタ６とＵＳＢプラグ８が結合される。その後、更に人指し指及び親指が放されると、上挟持片１０と下挟持片２０がバネ４０の弾性回復力により、ＵＳＢ端子８を緊密に挟持し、且つ上挟持片１０の前段部分の傾斜角度を有する凸塊３がＵＳＢプラグ８側面の凹溝８１内に嵌入する。その後、ロックリング５０が前向きに凸縁１３、２３の位置まで押されることで、上挟持片１０と下挟持片２０の前端がロックリング５０による緊束を受け、張開不能となり、これによりＵＳＢプラグ８が上挟持片１０と下挟持片２０の間で左右に揺動不能となり、これにより凸塊３がＵＳＢプラグ８側面の凹溝８１より離脱不能となり、ＵＳＢプラグ８の脱落防止が達成される。
【００１４】
さらに、図５に示されるように、本考案のユニバーサルシリアルバス保護クリップは、コネクタ６を利用してＵＳＢプラグ８と結合され、更にＵＳＢ端子６２でパーソナルコンピュータ８２と接続され、デジタルデータの伝送に供され、こうして毎回デジタルデータ伝送時にＵＳＢプラグ８を取り外す面倒がなく、接続とデータ伝送に便利な機能を達成する。
【００１５】
次に、図６に示されるように、本考案のユニバーサルシリアルバス保護クリップは、上挟持片１０と下挟持片２０の後段内側に前から後ろに内向きに傾斜する斜面１０１、２０１が設けられ、また、該斜面１０１、２０１の間にボール５１が設置され、該ボール５１が布条或いは延長線５１１に接続される。
【００１６】
上述の布条或いは延長線５１１がベルトに掛けられ、上挟持片１０及び下挟持片２０の前端内側にＵＳＢプラグ８が設置される時、該ＵＳＢプラグ８及びそれに接続された携帯型ディスク或いはＭＰ３プレイヤーの重量は上挟持片１０と下挟持片２０を下に引っ張り、ボール５１がこれにより斜面１０１、２０１後端に係止され、上挟持片１０と下挟持片２０の後段部分が外向きに開かれ、これにより枢設軸１１を支点として上挟持片１０と下挟持片２０の前段部分が内向きに緊密に挟持し、これによりＵＳＢプラグ８の脱落防止の効果が達成される。
【００１７】
総合すると、本考案のユニバーサルシリアルバス保護クリップは、確実にＵＳＢプラグ脱落防止とデータ伝送に便利な機能を達成し、実用性と進歩性を具備するものである。
【図面の簡単な説明】
【００１８】
【図１】本考案の立体分解図である。
【図２】本考案の立体組合せ図である。
【図３】本考案の使用表示図である。
【図４】本考案の使用表示図である。
【図５】本考案とパーソナルコンピュータの接続表示図である。
【図６】本考案の別の実施例の断面図である。
【図７】周知のＵＳＢ保護キャップの立体図である。
【符号の説明】
【００１９】
３  凸塊                ６  コネクタ
８  ＵＳＢプラグ        １０  上挟持片
１１  枢設軸            １３、２３  凸縁
２０  下挟持片          ２１  枢設リング
４０  バネ              ５０  ロックリング
５１  ボール            ６２  ＵＳＢ端子
８１  凹溝              ８２  パーソナルコンピュータ
１０１、２０１  斜面    ５１１  延長線
【図１】
0003111468.tif 000003
【図２】
0003111468.tif 000004
【図３】
0003111468.tif 000005
【図４】
0003111468.tif 000006
【図５】
0003111468.tif 000007
【図６】
0003111468.tif 000008
【図７】
0003111468.tif 000009